(57)【要約】      （修正有）【課題】電気錠における不要な電力の消費を抑制して省電力化を図るとともに、正常な解錠動作を確保させる。【解決手段】電気錠制御装置２の操作部２０にて行われた解錠操作を検出した制御回路２１の制御により、通電制御部２２からの電源が一定時間内、電気錠１の駆動回路１０へと通電され、この通電により当該電気錠が駆動されるか否かをもとに、サムターン信号出力部１２はサムターン信号を生成／非生成する。電気錠制御装置の制御回路は、電気錠のサムターン信号出力部からのサムターン信号がサムターン信号入力検出部２４にて受信できた場合、または受信できなかった場合に応じて、電気錠の種別を自動的に判別し、判別された種別に対応して通電制御部からの当該電気錠に対する解錠通電時間を最適に制御する。また、解錠通電時間を、外部、例えば、携帯端末等より送信され通信回路２６にて受信される通信コマンドを検出した制御回路によって最適に制御する。【選択図】図１
2006125097.tif 000002
【特許請求の範囲】
【請求項１】
住戸の扉に設置され電気信号により施錠および解錠することができる電気錠（１）と、前記住戸の玄関等に設置され居住者の施解錠操作で前記電気信号により前記電気錠の施錠動作および解錠動作を制御する電気錠制御装置（２）とを有し、
前記電気錠には、前記電気錠を駆動するための駆動回路（１０）と、前記駆動された電気錠からサムターン信号を出力するためのサムターン信号出力部（１２）とを備え、
前記電気錠制御装置には、前記居住者が前記電気錠の施錠および解錠を行うために前記施解錠操作する操作部（２０）と、前記操作部が施解錠操作されたことを検出するための制御回路（２１）と、前記制御回路により制御され、前記駆動回路に前記電気錠の種別判別のための通電を一定時間（Ｔ1）内行う通電制御部（２２）と、前記駆動回路の駆動によって前記サムターン信号出力部からのサムターン信号を受信し、前記サムターン信号に応じて前記電気錠の種別を判別し前記制御回路によって前記電気錠に対する解錠通電時間（Ｔ2、Ｔ3）を最適に制御するためのサムターン信号入力検出部（２４）とを備えたことを特徴とする電気錠システム。
【請求項２】
前記電気錠制御装置には、外部からの通信コマンドを受信することで前記制御回路により前記電気錠の種別を判別し前記解錠通電時間を最適に制御するための通信回路（２６）を備えたことを特徴とする請求項１記載の電気錠システム。
【発明の詳細な説明】
【技術分野】
【０００１】
本発明は、住戸の扉に設置される電気錠の施錠および解錠を制御するための電気錠システムに係り、特に、電気錠の種別に応じて解錠のための通電制御を最適に行うことができる電気錠システムに関する。
【背景技術】
【０００２】
従来から、この種の電気錠システムとして、電気錠の解錠信号をドアホンおよびインターホン間の通話信号線で伝送する電気錠システムが開示されている（例えば、特許文献１を参照。）。
【０００３】
従来例の電気錠システムにおいて、玄関ドア等の電気錠を解錠する場合、インターホンにて行われる所要の操作で電気錠の解錠を入力すると、記憶部に予め記憶されている電気錠解錠用のデータが読み出され、この電気錠解錠用のデータに対応する非可聴周波数の信号で変調した所要時間幅のパルス信号がパルス信号発生部にて発生される。パルス信号発生部にて発生されたパルス信号は、インターホンおよびドアホン間の通話信号線を介して玄関ドアの近くに設けた電気錠制御器へと伝送される。電気錠制御器のパルス検出部は、通話信号線を介して伝送されてきたパルス信号が電気錠解錠用のデータであると判別した場合、この判別に基づいて制御部から制御信号を出力させて電気錠を解錠する。
【０００４】
【特許文献１】特開平６−９０２９６号公報（段落番号０００９〜００１１等、図１、図２）
【発明の開示】
【発明が解決しようとする課題】
【０００５】
しかしながら、玄関ドアの電気錠の種別として、例えば、瞬時に通電されて駆動する（瞬時通電型）ソレノイド錠、または当該ソレノイド錠よりも長い通電で駆動するモータ錠の何れか１の当該電気錠が適用されていたとすると、従来例の電気錠システムではその種別を判別できず、電気錠の種別を選択するにあたっては人為的な操作が必要とされ、この操作に間違いが生じると当該電気錠の解錠動作を正常に行うことができない虞があった。
【０００６】
本発明は、前述の難点を解消するためになされたもので、電気錠の種別を自動的に判別し、判別された種別に応じて当該電気錠に対する解錠通電時間を最適に制御することにより、不要な電力の消費を抑制して省電力化を図るとともに、電気錠の正常な解錠動作を確保させた電気錠システムを提供することを目的としている。
【課題を解決するための手段】
【０００７】
前述の目的を達成するため、本発明の電気錠システムは、住戸の扉に設置され電気信号により施錠および解錠することができる電気錠と、住戸の玄関等に設置され居住者の施解錠操作で電気信号により電気錠の施錠動作および解錠動作を制御する電気錠制御装置とを有している。電気錠には、電気錠を駆動するための駆動回路と、駆動された電気錠からサムターン信号を出力するためのサムターン信号出力部とを備えている。電気錠制御装置には、居住者が電気錠の施錠および解錠を行うために施解錠操作する操作部と、操作部が施解錠操作されたことを検出するための制御回路と、制御回路により制御され、駆動回路に電気錠の種別判別のための通電を一定時間内行う通電制御部と、駆動回路の駆動によってサムターン信号出力部からのサムターン信号を受信し、サムターン信号に応じて電気錠の種別を判別し制御回路によって電気錠に対する解錠通電時間を最適に制御するためのサムターン信号入力検出部とを備えている。
【０００８】
また、本発明の電気錠システムにおいて、電気錠制御装置には、外部からの通信コマンドを受信することで制御回路により電気錠の種別を判別し解錠通電時間を最適に制御するための通信回路を備えている。
【発明の効果】
【０００９】
本発明の電気錠システムによれば、電気錠制御装置の操作部にて行われた解錠操作を検出した制御回路の制御により、通電制御部からの電源が一定時間内、電気錠の駆動回路へと通電され、この通電により当該電気錠が駆動されるか否かの相違をもとに、サムターン信号出力部はサムターン信号を生成／非生成する。電気錠制御装置の制御回路は、電気錠のサムターン信号出力部からのサムターン信号がサムターン信号入力検出部にて受信できた場合、または受信できなかった場合の相違に応じて、電気錠の種別を自動的に判別する、例えば、（瞬時通電型）ソレノイド錠またはモータ錠であるのかを自動的に判別し、判別された種別に対応して通電制御部から当該電気錠に対する解錠通電時間を最適に制御することができる。これにより、不要な電力の消費が抑制されて省電力化が図られるとともに、電気錠の正常な解錠動作を確保することができる。
【００１０】
また、本発明の電気錠システムによれば、電気錠制御装置の制御回路により最適に制御される通電制御部から電気錠に対する解錠通電時間を、外部、例えば、携帯端末等より送信され通信回路にて受信される通信コマンドを検出した制御回路によって最適に制御することができる。
【発明を実施するための最良の形態】
【００１１】
以下、本発明の電気錠システムを適用した最良の実施の形態例について、図面を参照して説明する。
【００１２】
図１は、本発明の実施例による電気錠システムの構成を示すブロック図である。
【００１３】
図１のブロック図に示す電気錠システムは、住戸の扉に設置され、電気信号により施錠および解錠することができる電気錠、例えば、ソレノイドを瞬時に通電することによりデッドボルトが解放されてシリンダ、サムターンがそれぞれ可動状態となり扉を開けることができる（瞬時通電型）ソレノイド錠、またはモータを通電することによりデッドボルトが解放されてシリンダが引き込められ、サムターンが解放されて扉を開けることができるモータ錠の何れか１からなる電気錠１と、住戸の玄関等に設置され、給電ラインＬ1を介して接続された電気錠１を通電させるとともに、第１、第２の各信号ラインＬ2、Ｌ3を介して接続された電気錠１に電気信号を出力し、当該電気錠の施錠動作および解錠動作を制御するための電気錠制御装置２とを有している。
【００１４】
また、電気錠１には、電気錠制御装置２から給電ラインＬ1を介して供給されてくる電源により通電され、当該電気錠を駆動するための駆動回路１０と、当該電気錠の外錠であるシリンダの状態を示すシリンダ信号、例えば、当該電気錠が駆動された旨のシリンダ信号を生成し、第１の信号ラインＬ2を介して電気錠制御装置２に出力するためのシリンダ信号出力部１１と、当該電気錠の内錠であるサムターンの状態を示すサムターン信号、例えば、当該電気錠が駆動された旨のサムターン信号を生成し、第２の信号ラインＬ3を介して電気錠制御装置２に出力するためのサムターン信号出力部１２とが備えられている。
【００１５】
さらに、電気錠制御装置２には、居住者が住戸の扉の施錠および解錠を行うために施解錠操作するキーボタン、タッチパネル等の操作部２０と、操作部２０にて行われた施解錠操作を検出するとともに、当該電気錠制御装置の構成各部を制御するための制御回路２１と、制御回路２１により制御され、電気錠１の種別、すなわち、前述の（瞬時通電型）ソレノイド錠またはモータ錠であるのかを（自動的に）判別するため、給電ラインＬ1を介して電気錠１の駆動回路１０を一定時間Ｔ1内、通電（種別判別通電）させるための通電制御部２２と、電気錠１のシリンダ信号出力部１１にて生成され、第１の信号ラインＬ2を介して伝送されてくるシリンダ信号を受信し、このシリンダ信号に応じて電気錠１の外錠であるシリンダの状態を判別するためのシリンダ信号入力検出部２３と、電気錠１の駆動回路１０が駆動されることによりサムターン信号出力部１２にて生成され、第２の信号ラインＬ3を介して伝送されてくるサムターン信号を受信し、このサムターン信号に応じて当該電気錠の種別を（自動的に）判別し、制御回路２０によって電気錠１に対する解錠通電時間Ｔ2、Ｔ3（後述する）を最適に制御するとともに、同様なサムターン信号に応じて電気錠１の内錠であるサムターンの状態を判別するためのサムターン信号入力検出部２４と、操作部２０にて行われた施錠操作および解錠操作の操作情報や電気錠１の施錠および解錠の状態情報等を表示／出画するためのＣＲＴ（Cathode Ray Tube）、ＬＥＤ（Light Emitting Diode）、ＬＣＤ（Liquid Crystal Display）、有機ＥＬ（Electro Luminescence）ディスプレイ等の表示部２５と、電気錠１の種別を（自動的に）判別して当該電気錠に対する解錠通電時間Ｔ2、Ｔ3（後述する）を最適に制御するため、外部、例えば、携帯端末等から有線または無線により送信されてくる通信コマンドを受信する通信回路２６とが備えられている。
【００１６】
このように構成された本発明の実施例による電気錠システムにおいて、以下、具体的な動作について、図１のブロック図および当該実施例の動作を示す図２のフローチャート図を参照して説明する。
【００１７】
図１のブロック図において、住戸内に在室中の居住者や当該電気錠システムの施工業者等が、電気錠１を解錠させるために電気錠制御装置２の操作部２０にて所定の解錠操作を行うと（ステップＳＴ1）、この解錠操作を検出した制御回路２１の制御により当該操作部の操作情報が表示部２５に表示／出画されるとともに、通電制御部２２が制御され、電気錠１の種別、すなわち、前述の（瞬時通電型）ソレノイド錠またはモータ錠であるのかを（自動的に）判別するための電源を一定時間Ｔ1内、給電ラインＬ1を介して電気錠１に供給して駆動回路１０を通電（種別判別通電）させる（ステップＳＴ2）。
【００１８】
ここで、電気錠制御装置２の通電制御部２２からの電源が一定時間Ｔ1内供給され、通電された電気錠１の駆動回路１０が駆動した場合、例えば、電気錠１が（瞬時通電型）ソレノイド錠であった場合には、サムターン信号出力部１２にて生成されたサムターン信号が第２の信号ラインＬ3を介して電気錠制御装置２のサムターン信号入力検出部２４へと伝送される。なお、電気錠１がモータ錠であった場合には、サムターン信号出力部１２にて前述のサムターン信号が生成されることはない。
【００１９】
電気錠制御装置２のサムターン信号入力検出部２４は、電気錠１のサムターン信号出力部１２からのサムターン信号の受信を検出できたか否かに応じて、電気錠１が（瞬時通電型）ソレノイド錠である、またはモータ錠であるのかを自動的に判別する（ステップＳＴ3）。
【００２０】
先ず、前述のサムターン信号の受信を検出した電気錠制御装置２のサムターン信号入力検出部２４は、電気錠１が（瞬時通電型）ソレノイド錠である旨の判別情報（以下、第１の判別情報という。）を制御回路２１に出力する（ステップＳＴ4）。この第１の判別情報をもとに電気錠１が（瞬時通電型）ソレノイド錠であると検出した制御回路２１は、その旨の検出情報を表示部２５に表示／出画させるとともに、電気錠１（の駆動回路１０）に対する解錠通電時間（以下、第１の解錠通電時間という。）Ｔ2を最適な時間、例えば、ソレノイド錠を駆動させるに必要とされる瞬時の時間の通電となるように通電制御部２２を制御し（ステップＳＴ5）、この制御の後、解錠動作を終了する（ステップＳＴ6）。
【００２１】
一方、前述のサムターン信号の受信を検出できなかった電気錠制御装置２のサムターン信号入力検出部２４は、電気錠１がモータ錠である旨の判別情報（以下、第２の判別情報という。）を制御回路２１に出力する（ステップＳＴ7）。この第２の判別情報をもとに電気錠１がモータ錠であると検出した制御回路２１は、その旨の検出情報を表示部２５に表示／出画させるとともに、電気錠１（の駆動回路１０）に対する解錠通電時間（以下、第２の解錠通電時間という。）Ｔ3を最適な時間、例えば、前述の第１の解錠通電時間Ｔ2よりも長くモータ錠を駆動させるに必要とされる時間の通電となるように通電制御部２２を制御し（ステップＳＴ8）、この制御の後、解錠動作を終了する（ステップＳＴ6）。
【００２２】
前述の説明から明らかなように、電気錠１の種別、すなわち、（瞬時通電型）ソレノイド錠またはモータ錠であるのかを電気錠制御装置２にて自動的に判別して、判別された種別に応じた解錠通電時間を最適に制御することにより、不要な電力の消費を抑制でき省電力化が図られるとともに、電気錠１の正常な解錠動作を確保させることができる。
【００２３】
なお、前述の説明において、電気錠制御装置２の制御回路２１は、電気錠１のサムターン信号出力部１２からの受信をサムターン信号入力検出部２４が検出できたか否かに応じて、電気錠１の種別、すなわち、（瞬時通電型）ソレノイド錠またはモータ錠であるのかを自動的に判別し、判別された種別に応じて解錠通電時間の制御を最適に行ったが、これに限定されず、外部、例えば、携帯端末等から有線または無線により送信されてくる通信コマンドを通信回路２６にて受信し、受信された外部コマンドをもとに電気錠１の種別を自動的に判別して当該電気錠に対する第１、第２の解錠通電時間Ｔ2、Ｔ3を最適に制御することができる。
【図面の簡単な説明】
【００２４】
【図１】本発明の実施例による電気錠システムの構成を示すブロック図。
【図２】本発明の実施例による電気錠システムの動作を示すフローチャート図。
【符号の説明】
【００２５】
１……電気錠
１０……駆動回路
１２……サムターン信号出力部
２……電気錠制御装置
２０……操作部
２１……制御回路
２２……通電制御部
２４……サムターン信号入力検出部
２６……通信回路
Ｔ1……一定時間
Ｔ2……第１の解錠通電時間（解錠通電時間）
Ｔ3……第２の解錠通電時間（解錠通電時間）
【図１】
2006125097.tif 000003
【図２】
2006125097.tif 000004